(57)【要約】【課題】  論理リンク確立のための処理を単純化すること。【解決手段】  通信端末は、予め定められた１以上のサービス種類と単独論理リンクとを対応付けて記憶する記憶部と、局側装置との間で単一の統一ＬＬ４０１を確立するために、統一ＬＬ４０１を識別するための統一識別情報を受信する統一論理リンク確立手段と、統一論理リンク確立手段により確立された統一ＬＬ４０１を介して、局側装置から単独ＬＬ４０１Ａ，４０１Ｂ，４０１Ｃを識別するための単独識別情報とサービス種類とを対応付けた情報を受信する識別情報受信手段と、単独４０１Ａ，４０１Ｂ，４０１Ｃを確立するために、識別情報受信手段で受信された情報に含まれるサービス種類に対応する単独識別情報を、予め定められたサービス種類に割当てる単独論理リンク確立手段とを備える。【選択図】        図４
2005236413.tif 000002
【特許請求の範囲】
【請求項１】
他の通信装置との間で複数の論理リンクを確立する通信装置であって、
予め定められた１以上のサービス種類と単独論理リンクとを対応付けて記憶する記憶手段と、
前記他の通信装置との間で単一の統一論理リンクを確立するために、前記統一論理リンクを識別するための統一識別情報を受信する統一論理リンク確立手段と、
前記統一論理リンク確立手段により確立された統一論理リンクを介して、前記他の通信装置から前記単独論理リンクを識別するための単独識別情報とサービス種類とを対応付けた情報を受信する識別情報受信手段と、
前記単独論理リンクを確立するために、前記識別情報受信手段で受信された情報に含まれるサービス種類に対応する単独識別情報を、前記予め定められたサービス種類に割当てる単独論理リンク確立手段とを備えた、通信装置。
【請求項２】
前記単独論理リンクごとに通信状態に関する管理情報を生成して記憶する管理情報生成手段と、
前記管理情報生成手段により記憶された管理情報を、前記単独論理リンクごとに前記他の通信装置へ前記統一論理リンクを介して送信する送信手段をさらに備えた、請求項１に記載の通信装置。
【請求項３】
前記他の通信装置との間で送受信するためのデータを暗号化または復号化するために用いる暗号キーを、前記統一論理リンクを介して送信または受信する暗号キー送受信手段と、
前記単独論理リンクを介して受信したデータを、前記暗号キーを用いて復号化し、前記単独論理リンクを介して送信するデータを、前記暗号キーを用いて暗号化する暗号・復号化手段とをさらに備えた、請求項１に記載の通信装置。
【請求項４】
前記識別情報受信手段は、前記通信装置識別情報ごとに予め記憶されたサービス種類に対応する単独識別情報を受信するために、前記通信装置を識別するための通信装置識別情報を送信する通信装置識別情報送信手段を含む、請求項１に記載の通信装置。
【請求項５】
前記統一論理リンク確立手段により確立された統一論理リンクは、宛先情報が第１のモードでかつ前記宛先情報に含まれる識別情報が前記統一論理リンクに割当てられた統一識別情報のデータ、または、前記宛先情報が第２のモードでかつ前記宛先情報に含まれる識別情報が前記統一論理リンクに割当てられた統一識別情報および前記単独論理リンクに割当てられた単独識別情報のいずれでもないデータを受信し、
前記単独論理リンク確立手段により確立された単独論理リンクは、前記宛先情報が第１のモードでかつ前記宛先情報に含まれる識別情報が前記単独論理リンクに割当てられた単独識別情報のデータのみを受信する、請求項１に記載の通信装置。
【請求項６】
１以上の他の通信装置それぞれとの間で１以上の論理リンクを確立する通信装置であって、
前記他の通信装置ごとに、１以上のサービス種類と単独論理リンクとを対応付けて予め記憶しておく記憶手段と、
前記他の通信装置から単一の統一論理リンクを確立するための要求情報の受信に応じて、前記他の通信装置との間で統一論理リンクを確立するために前記統一論理リンクを識別するための統一識別情報を前記他の通信装置に送信する統一論理リンク確立手段と、
前記統一論理リンクが確立された他の通信装置に対応して前記記憶手段に記憶された単独論理リンクを識別するための単独識別情報を生成する単独識別情報生成手段と、
前記統一論理リンク確立手段により確立された統一論理リンクを介して、前記単独識別情報生成手段により生成された単独識別情報と前記記憶手段に記憶されたサービス種類とを関連付けて送信する送信手段と、
前記単独論理リンクを確立するために、前記識別情報送信手段で送信した単独識別情報を、前記予め定められたサービス種類に割当てる単独論理リンク確立手段とを備えた、通信装置。
【請求項７】
前記単独論理リンクごとの通信状態に関する管理情報を、前記他の通信装置との間で確立された統一論理リンクを介して受信する管理情報受信手段をさらに備えた、請求項６に記載の通信装置。
【請求項８】
前記他の通信装置との間で送受信するためのデータを暗号化または復号化するために用いる暗号キーを、前記統一論理リンクを介して送信または受信する暗号キー送受信手段と、
前記単独論理リンクを介して受信したデータを、前記暗号キーを用いて復号化し、前記単独論理リンクを介して送信するデータを、前記暗号キーを用いて暗号化する暗号・復号化手段とをさらに備えた、請求項６に記載の通信装置。
【請求項９】
前記他の通信装置から該通信装置識別情報に予め割当てられた通信装置を識別するための通信装置識別情報を受信する通信装置識別情報受信手段をさらに含み、
単独識別情報生成手段は、前記通信装置識別情報受信手段により受信された前記通信装置識別情報が前記記憶手段に予め記憶されていることを条件に前記単独識別情報を生成する、請求項６に記載の通信装置。
【請求項１０】
前記単独論理リンク確立手段により確立された単独論理リンクごとに、該単独論理リンクに対応するサービス種類に応じた帯域を割当てる帯域割当て手段をさらに備えた、請求項６に記載の通信装置。
【請求項１１】
ネットワークに接続されたコンピュータで実行される通信プログラムであって、
前記コンピュータは、他の通信装置と通信するための通信手段と、
予め定められた１以上のサービス種類と単独論理リンクとを対応付けて記憶する記憶手段とを備え、
前記通信手段に、前記他の通信装置との間で単一の統一論理リンクを確立するために、前記統一論理リンクを識別するための統一識別情報を受信させるステップと、
前記通信手段に、前記統一論理リンク確立手段により確立された統一論理リンクを介して、前記他の通信装置から前記記憶手段に記憶された単独論理リンクを識別するための単独識別情報とサービス種類とを対応付けた情報を受信させるステップと、
前記単独論理リンクを確立するために、前記受信された情報に含まれるサービス種類に対応する単独識別情報を、前記予め定められたサービス種類に割当てるステップとをコンピュータに実行させる、通信プログラム。
【請求項１２】
１以上の他の通信装置それぞれとの間で１以上の論理リンクを確立可能なコンピュータで実行される通信プログラムであって、
前記コンピュータは、前記他の通信装置と通信するための通信手段と、
前記他の通信装置ごとに、１以上のサービス種類と単独論理リンクとを対応つけて予め記憶しておく記憶手段とを備え、
前記通信手段に、前記他の通信装置から単一の統一論理リンクを確立するための要求情報の受信に応じて、前記他の通信装置との間で統一論理リンクを確立するために前記統一論理リンクを識別するための統一識別情報を前記他の通信装置に送信させるステップと、
前記統一論理リンクが確立された他の通信装置に対応して前記記憶手段に記憶された単独論理リンクを識別するための単独識別情報を生成するステップと、
前記通信手段に、前記統一論理リンク確立ステップにより確立された統一論理リンクを介して、前記単独識別情報生成ステップにより生成された単独識別情報と前記記憶手段に記憶されたサービス種類とを関連付けて送信させるステップと、
前記単独論理リンクを確立するために、前記識別情報送信ステップで送信した単独識別情報を、前記予め定められたサービス種類に割当てるステップとをコンピュータに実行させる、通信プログラム。
【発明の詳細な説明】
【技術分野】
【０００１】
この発明は、通信装置および通信プログラムに関し、特に他の通信装置との間で複数の論理リンクを確立する通信装置およびそれにより実行される通信プログラムに関する。
【背景技術】
【０００２】
複数の通信端末が共通の伝送路を用いて相互に通信する場合に、通信データが伝送路上で衝突して通信データを送信できない場合がある。相互に通信する端末同士が伝送路を占有し、お互いに共通の規則に従って通信する場合には衝突を回避することができるけれども、他の通信端末が通信データをその伝送路に送出した場合などに衝突が発生する。
【０００３】
この衝突を回避するために、局側装置と複数の通信端末とが１対多の接続関係で接続される通信システムでは、局側装置が複数の端末装置に対して通信データを送出する時期を通知することにより、伝送路上での通信データの衝突を回避し、効率的な通信を可能としている。この通信システムでは、局側装置で複数の通信端末それぞれに送出タイミングを通知するために、局側装置で複数の通信端末が登録される（たとえば、非特許文献１）。
【非特許文献１】村上、他４名，「ＩＥＥＥ８０２．３ａｈにおける標準化動向とシステム構築上の課題」，通信技報，電子情報通信学会，平成１５年６月，ＩＮ２００３−２４，Ｐ１−６
【発明の開示】
【発明が解決しようとする課題】
【０００４】
通信端末が１以上の論理リンクを局側装置との間で確立する場合には、論理リンクごとに局側装置に登録する必要がある。このため、１つの通信端末でありながら１以上の論理リンクを局側装置と確立するために、論理リンクごとに登録処理を実行しなければならない。その結果、通信手順が複雑になるばかりでなく、通信データ量が増加するといった問題があった。
【０００５】
この発明は、上述した問題点を解決するためになされたもので、この発明の目的の１つは、論理リンク確立のための処理を単純化した通信装置を提供することである。
【０００６】
この発明の他の目的は、通信データ量を減少させることが可能な通信装置を提供することである。
【課題を解決するための手段】
【０００７】
上述した目的を達成するためにこの発明のある局面によれば、通信装置は、他の通信装置との間で複数の論理リンクを確立する通信装置であって、予め定められた１以上のサービス種類と単独論理リンクとを対応付けて記憶する記憶手段と、他の通信装置との間で単一の統一論理リンクを確立するために、統一論理リンクを識別するための統一識別情報を受信する統一論理リンク確立手段と、統一論理リンク確立手段により確立された統一論理リンクを介して、他の通信装置から単独論理リンクを識別するための単独識別情報とサービス種類とを対応付けた情報を受信する識別情報受信手段と、単独論理リンクを確立するために、識別情報受信手段で受信された情報に含まれるサービス種類に対応する単独識別情報を、予め定められたサービス種類に割当てる単独論理リンク確立手段とを備える。
【０００８】
この発明に従えば、他の通信装置との間で単一の統一論理リンクを確立するために、統一論理リンクを識別するための統一識別情報が受信され、確立された統一論理リンクを介して他の通信装置から単独論理リンクを識別するための単独識別情報とサービス種類とを対応付けた情報が受信される。そして、単独論理リンクを確立するために、受信された情報に含まれるサービス種類に対応する単独識別情報が予め定められたサービス種類に割当てられる。このため、統一論理リンクが確立されれば、予め定められた単独論理リンクが確立されるので、単独論理リンクごとに論理リンクを確立するために他の通信装置との間で通信をする必要がない。その結果、論理リンク確立のための処理を単純化することができるとともに、通信するデータ量を減少させることが可能な通信装置を提供することができる。
【０００９】
好ましくは、単独論理リンクごとに通信状態に関する管理情報を生成して記憶する管理情報生成手段と、管理情報生成手段により記憶された管理情報を、単独論理リンクごとに他の通信装置へ統一論理リンクを介して送信する送信手段をさらに備える。
【００１０】
この発明に従えば、単独論理リンクごとに通信状態に関する管理情報が生成され、その管理情報が単独論理リンクごとに他の通信装置へ統一論理リンクを介して送信される。このため、単独リンクごとに生成された管理情報が、統一論理リンクを介してまとめて送信される。その結果、管理情報を送信するための処理を単純化することができ、通信するデータ量を減少させることができる。
【００１１】
好ましくは、他の通信装置との間で送受信するためのデータを暗号化または復号化するために用いる暗号キーを、統一論理リンクを介して送信または受信する暗号キー送受信手段と、単独論理リンクを介して受信したデータを、暗号キーを用いて復号化し、単独論理リンクを介して送信するデータを、暗号キーを用いて暗号化する暗号・復号化手段とをさらに備える。
【００１２】
この発明に従えば、他の通信装置との間で送受信するためのデータを暗号化または復号化するために用いる暗号キーが統一論理リンクを介して送信または受信され、単独論理リンクを介して受信したデータが暗号キーを用いて復号化され、単独論理リンクを介して送信するデータが暗号キーを用いて暗号化される。このため、単独論理リンクで送受信されるデータを暗号化または復号化するための暗号キーを、統一論理リンクで送受信するので、単独論理リンクごとに暗号キーを送受信する必要がない。
【００１３】
好ましくは、識別情報受信手段は、通信装置識別情報ごとに予め記憶されたサービス種類に対応する単独識別情報を受信するために、通信装置を識別するための通信装置識別情報を送信する通信装置識別情報送信手段を含む。
【００１４】
この発明に従えば、通信装置識別情報ごとに予め記憶されたサービス種類に対応する単独識別情報を受信するために、通信装置を識別するための通信装置識別情報が送信される。このため、他の通信装置では、通信装置識別情報に基づいて、確立するべき論理リンクとサービス種類とを決定することができる。
【００１５】
好ましくは、統一論理リンク確立手段により確立された統一論理リンクは、宛先情報が第１のモードでかつ宛先情報に含まれる識別情報が統一論理リンクに割当てられた統一識別情報のデータ、または、宛先情報が第２のモードでかつ宛先情報に含まれる識別情報が統一論理リンクに割当てられた統一識別情報および単独論理リンクに割当てられた単独識別情報のいずれでもないデータを受信し、単独論理リンク確立手段により確立された単独論理リンクは、宛先情報が第１のモードでかつ宛先情報に含まれる識別情報が単独論理リンクに割当てられた単独識別情報のデータのみを受信する。
【００１６】
この発明に従えば、統一論理リンクでは、宛先情報が第１のモードでかつ宛先情報に含まれる識別情報が統一識別情報のデータ、または、宛先情報が第２のモードでかつ宛先情報に含まれる識別情報が統一識別情報および単独識別情報のいずれでもないデータが受信され、単独論理リンクでは、受信されたデータのうち宛先情報が第１のモードでかつ宛先情報に含まれる識別情報が単独識別情報のデータのみが受信される。宛先情報が第２のモードの場合には、統一論理リンクのみでデータが受信され、単独論理リンクでは受信されない。このため、たとえば、第２のモードをブロードキャスト用などにした場合には、ブロードキャストで送信されたデータは通信装置ごとに１つのデータが受信される。
【００１７】
この発明の他の局面によれば、通信装置は、１以上の他の通信装置それぞれとの間で１以上の論理リンクを確立する通信装置であって、他の通信装置ごとに、１以上のサービス種類と単独論理リンクとを対応付けて予め記憶しておく記憶手段と、他の通信装置から単一の統一論理リンクを確立するための要求情報の受信に応じて、他の通信装置との間で統一論理リンクを確立するために統一論理リンクを識別するための統一識別情報を他の通信装置に送信する統一論理リンク確立手段と、統一論理リンクが確立された他の通信装置に対応して記憶手段に記憶された単独論理リンクを識別するための単独識別情報を生成する単独識別情報生成手段と、統一論理リンク確立手段により確立された統一論理リンクを介して、単独識別情報生成手段により生成された単独識別情報と記憶手段に記憶されたサービス種類とを関連付けて送信する送信手段と、単独論理リンクを確立するために、識別情報送信手段で送信した単独識別情報を、予め定められたサービス種類に割当てる単独論理リンク確立手段とを備える。
【００１８】
この発明に従えば、他の通信装置ごとに、１以上のサービス種類と単独論理リンクとが対応付けて予め記憶され、他の通信装置から単一の統一論理リンクを確立するための要求情報の受信に応じて、統一論理リンクを識別するための統一識別情報が他の通信装置に送信されて、他の通信装置との間で統一論理リンクが確立される。そして、統一論理リンクが確立された他の通信装置に対応して単独論理リンクを識別するための単独識別情報が生成され、統一論理リンクを介して、生成された単独識別情報と記憶されたサービス種類とが関連付けられて送信され、送信した単独識別情報が予め定められたサービス種類に割当てられる。このため、単独論理リンクごとに論理リンクを確立するために他の通信装置との間で通信をする必要がない。その結果、論理リンク確立のための処理を単純化することができるとともに、通信するデータ量を減少させることが可能な通信装置を提供することができる。
【００１９】
好ましくは、単独論理リンクごとの通信状態に関する管理情報を、他の通信装置との間で確立された統一論理リンクを介して受信する管理情報受信手段をさらに備える。
【００２０】
この発明に従えば、単独論理リンクごとの通信状態に関する管理情報が、他の通信装置との間で確立された統一論理リンクを介して受信される。このため、単独リンクごとの管理情報が、統一論理リンクを介してまとめて受信される。その結果、管理情報を受信するための処理を単純化することができ、通信するデータ量を減少させることができる。
【００２１】
好ましくは、他の通信装置との間で送受信するためのデータを暗号化または復号化するために用いる暗号キーを、統一論理リンクを介して送信または受信する暗号キー送受信手段と、単独論理リンクを介して受信したデータを、暗号キーを用いて復号化し、単独論理リンクを介して送信するデータを、暗号キーを用いて暗号化する暗号・復号化手段とをさらに備える。
【００２２】
この発明に従えば、他の通信装置との間で送受信するためのデータを暗号化または復号化するために用いる暗号キーが統一論理リンクを介して送信または受信され、単独論理リンクを介して受信したデータが暗号キーを用いて復号化され、単独論理リンクを介して送信するデータが暗号キーを用いて暗号化される。このため、単独論理リンクで送受信されるデータを暗号化または復号化するための暗号キーを、統一論理リンクで送受信するので、単独論理リンクごとに暗号キーを送受信する必要がない。
【００２３】
好ましくは、他の通信装置から該通信装置識別情報に予め割当てられた通信装置を識別するための通信装置識別情報を受信する通信装置識別情報受信手段をさらに含み、単独識別情報生成手段は、通信装置識別情報受信手段により受信された通信装置識別情報が記憶手段に予め記憶されていることを条件に単独識別情報を生成する。
【００２４】
この発明に従えば、他の通信装置から該通信装置識別情報に予め割当てられた通信装置を識別するための通信装置識別情報が受信され、受信された通信装置識別情報が予め記憶されていることを条件に単独識別情報が生成される。このため、通信装置識別情報に基づいて、確立するべき論理リンクとサービス種類とを決定することができる。また、単独論理リンクを確立するためには、通信装置識別情報が記憶されていることが条件となるので、予め定められた通信装置との間でのみ論理リンクを確立することができる。
【００２５】
好ましくは、単独論理リンク確立手段により確立された単独論理リンクごとに、該単独論理リンクに対応するサービス種類に応じた帯域を割当てる帯域割当て手段をさらに備える。
【００２６】
この発明に従えば、単独論理リンクごとに、該単独論理リンクに対応するサービス種類に応じた帯域が割当てられるので、通信の効率を向上させることができる。
【００２７】
この発明のさらに他の局面によれば、通信プログラムは、ネットワークに接続されたコンピュータで実行される通信プログラムであって、コンピュータは、他の通信装置と通信するための通信手段と、予め定められた１以上のサービス種類と単独論理リンクとを対応付けて記憶する記憶手段とを備え、通信手段に、他の通信装置との間で単一の統一論理リンクを確立するために、統一論理リンクを識別するための統一識別情報を受信させるステップと、通信手段に、統一論理リンク確立手段により確立された統一論理リンクを介して、他の通信装置から記憶手段に記憶された単独論理リンクを識別するための単独識別情報とサービス種類とを対応付けた情報を受信させるステップと、単独論理リンクを確立するために、受信された情報に含まれるサービス種類に対応する単独識別情報を、予め定められたサービス種類に割当てるステップとをコンピュータに実行させる。
【００２８】
この発明に従えば、他の通信装置との間で単一の統一論理リンクを確立するために、統一論理リンクを識別するための統一識別情報が受信される。そして、統一論理リンクを介して、他の通信装置から単独論理リンクを識別するための単独識別情報とサービス種類とを対応付けた情報が受信され、受信された情報に含まれるサービス種類に対応する単独識別情報が、予め定められたサービス種類に割当てられる。このため、単独論理リンクごとに論理リンクを確立するために他の通信装置との間で通信をする必要がない。その結果、論理リンク確立のための処理を単純化することができるとともに、通信するデータ量を減少させることが可能な通信プログラムを提供することができる。
【００２９】
この発明のさらに他の局面によれば、通信プログラムは、１以上の他の通信装置それぞれとの間で１以上の論理リンクを確立可能なコンピュータで実行される通信プログラムであって、コンピュータは、他の通信装置と通信するための通信手段と、他の通信装置ごとに、１以上のサービス種類と単独論理リンクとを対応つけて予め記憶しておく記憶手段とを備え、通信手段に、他の通信装置から単一の統一論理リンクを確立するための要求情報の受信に応じて、他の通信装置との間で統一論理リンクを確立するために統一論理リンクを識別するための統一識別情報を他の通信装置に送信させるステップと、統一論理リンクが確立された他の通信装置に対応して記憶手段に記憶された単独論理リンクを識別するための単独識別情報を生成するステップと、通信手段に、統一論理リンク確立ステップにより確立された統一論理リンクを介して、単独識別情報生成ステップにより生成された単独識別情報と記憶手段に記憶されたサービス種類とを関連付けて送信させるステップと、単独論理リンクを確立するために、識別情報送信ステップで送信した単独識別情報を、予め定められたサービス種類に割当てるステップとをコンピュータに実行させる。
【００３０】
この発明に従えば、他の通信装置から単一の統一論理リンクを確立するための要求情報の受信に応じて、他の通信装置との間で統一論理リンクを確立するために統一論理リンクを識別するための統一識別情報が他の通信装置に送信される。そして、統一論理リンクが確立された他の通信装置に対応して記憶された単独論理リンクを識別するための単独識別情報が生成され、統一論理リンクを介して、生成された単独識別情報と記憶されたサービス種類とが関連付けて送信され、送信した単独識別情報が予め定められたサービス種類に割当てられる。このため、単独論理リンクごとに論理リンクを確立するために他の通信装置との間で通信をする必要がない。その結果、論理リンク確立のための処理を単純化することができるとともに、通信するデータ量を減少させることが可能な通信プログラムを提供することができる。
【発明を実施するための最良の形態】
【００３１】
以下、図面を参照しつつ本発明の実施の形態について説明する。以下の説明では、同一の部品には同一の符号を付してある。それらの名称および機能も同じである。したがってそれらについての詳細な説明は繰返さない。
【００３２】
図１は、本発明の実施の形態に係る通信システムの概略構成を示す図である。図１を参照して、本実施の形態における通信システムは、局側装置２００と、２台の通信端末１００，１００Ａとを含む。なお、ここでは２台の通信端末１００，１００Ａを局側装置２００に接続するネットワークを例に説明するが、通信端末の台数はこれに限定されない。１台の局側装置２００に１台以上の通信端末が接続される形態のネットワークであればよい。
【００３３】
通信端末１００は、インターネット電話（以下「ＩＰ電話」という）２５０と、２台のコンピュータ２５０Ａ，２５０Ｂそれぞれと、接続線２０４，２０４Ａ，２０４Ｂで接続されている。通信端末１００Ａは、ＩＰ電話２５１と、２台のコンピュータ２５１Ａ，２５１Ｂそれぞれと、接続線２０５，２０５Ａ，２０５Ｂで接続されている。また、通信端末１００，１００Ａと、ＩＰ電話２５０，２５１およびコンピュータ２５０Ａ，２５０Ｂ，２５１Ａ，２５１Ｂとを、接続線２０４，２０４Ａ，２０４Ｂ，２０５，２０５Ａ，２０５Ｂで直接接続するようにしたが、通信端末１００，１００Ａには、ローカルエリアネットワーク（ＬＡＮ）等のネットワークが接続されてもよく、そのネットワークに、ＩＰ電話２５０，２５１およびコンピュータ２５０Ａ，２５０Ｂ，２５１Ａ，２５１Ｂが接続されてもよい。また、ＩＰ電話２５０，２５１およびコンピュータ２５０Ａ，２５０Ｂ，２５１Ａ，２５１Ｂの台数は、これに限定されることなく、通信端末１００，１００Ａの能力に応じて複数台を接続することができる。
【００３４】
局側装置２００と２台の通信端末１００，１００Ａとは、光ファイバで接続され、ネットワークを構成する。このようなネットワークの接続形態は、パッシブダブルスター（ＰＤＳ：Passive Double Star）方式という。
【００３５】
より具体的に説明すると、局側装置２００は、光ファイバ２０１の一端と接続される。光ファイバ２０１の他端は、光カプラ２０３に接続される。光カプラ２０３は、通信端末１００と光ファイバ２０２で接続され、通信端末１００Ａと光ファイバ２０２Ａで接続される。
【００３６】
光カプラ２０３は、１つの光ファイバ２０１から受信する光信号を、複数の光ファイバ２０２，２０２Ａにそれぞれ出力する。また、複数の光ファイバ２０２，２０２Ａそれぞれから受信する光信号を、光ファイバ２０１に出力する。したがって、局側装置２００から出力される光信号は、光ファイバ２０１を介して光カプラ２０３で受信された後、すべての光ファイバ２０２，２０２Ａに出力される。このため、局側装置２００から出力された光信号は、通信端末１００，１００Ａで受信されることになる。
【００３７】
逆に、通信端末１００，１００Ａと光カプラ２０３とは、それぞれが光ファイバ２０２，２０２Ａで接続されるため、光カプラ２０３と通信端末１００，１００Ａとの間の光ファイバ２０２，２０２Ａは、通信端末１００，１００Ａそれぞれで占有されることになる。換言すれば、通信端末１００が出力する光信号は、光ファイバ２０２だけを通り、光ファイバ２０２Ａを通ることはない。
【００３８】
しかしながら、通信端末１００，１００Ａそれぞれから出力された光信号は、光カプラ２０３でまとめられて光ファイバ２０１に出力される。このため、光ファイバ２０１においては、通信端末１００，１００Ａから出力された光信号のすべてが伝送されることになる。この意味で、光ファイバ２０１は、通信端末１００，１００Ａで共有されているといえる。このため、局側装置２００と通信端末１００，１００Ａとの通信においては、通信端末１００，１００Ａのいずれか１台が局側装置２００と通信が可能である。複数の通信端末１００，１００Ａが同時にパケット（光信号）を局側装置２００に出力した場合、光ファイバ２０１上でパケットが衝突するため、局側装置２００ではそのパケットを受信することはできない。なお、１つの光ファイバでも、波長の異なる光を同時に送受信することは可能である。通信端末１００，１００Ａから局側装置２００へのパケット送信を上り方向とし、その逆のパケットの送信を下り方向とすれば、上り方向と下り方向とで波長が異なっても良い。
【００３９】
通信端末１００，１００Ａのすべてがネットワークに接続される場合には、局側装置２００では、光ファイバ２０１上でパケット衝突を回避するため、接続される通信端末１００，１００Ａのすべてを登録している。そして、局側装置２００は、接続された通信端末１００，１００Ａすべてに対して、それぞれがパケットを送信可能な期間を割当て、その割当てた期間を通信端末１００，１００Ａ〜１００Ｄそれぞれに送信している。これを帯域の割当てという。通信サービスによりデータ通信量に差があるため、サービスに応じた期間を割当てることにより、伝送効率を高めることができる。
【００４０】
通信端末１００，１００Ａは、局側装置２００により割当てられた期間にパケットを送信する。したがって、その期間には、他の通信端末がパケットを送信することがないため、光ファイバ２０１上でパケットが衝突することなく、局側装置２００で受信される。
【００４１】
本実施の形態における通信システムにおいては、局側装置２００が接続される上位のネットワークと、通信端末１００に接続されるＩＰ電話２５０、コンピュータ２５０Ａ，２５０Ｂおよび通信端末１００に接続されるＩＰ電話２５１、コンピュータ２５１Ａ，２５１Ｂとの通信を中継する処理を実現する。このため、局側装置２００および通信端末１００，１００Ａとの間では、複数の論理リンクが確立される。
【００４２】
局側装置２００は、一般的なコンピュータで構成するようにしてもよい。局側装置２００では、通信端末１００，１００Ａと通信をするため、通信プログラムが実行される。局側装置２００は、外部記憶装置を備え、記録媒体３００に記録された通信プログラムを読取り、局側装置２００に内蔵された中央演算装置（ＣＰＵ）において読取った通信プログラムを実行する。また、通信端末１００，１００においても、一般的なコンピュータで構成するようにしてもよい。その場合、記録媒体３０１に記録された別の通信プログラムが読取られ、通信端末１００，１００Ａにそれぞれ内蔵されたＣＰＵで読取られた通信プログラムが実行される。
【００４３】
一般的に、そのような通信プログラムは、記録媒体３００，３０１に記録されて流通する。そして、局側装置２００が備える外部記憶装置または通信端末１００，１００Ａが備える外部記憶装置によって読取られ、局側装置２００または通信端末１００，１００Ａが備えるハードディスクに不揮発的に記憶される。局側装置２００または通信端末１００，１００Ａでは、ハードディスクに記憶された通信プログラムをランダムアクセスメモリ（ＲＡＭ）に読取り、ＣＰＵで実行する。なお、通信プログラムを記録媒体３００，３０１に記録するのではなく、局側装置２００または通信端末１００，１００Ａが備えるリードオンリーメモリ（ＲＯＭ）に予め記憶しておくようにしてもよい。
【００４４】
なお、記録媒体３００，３０１としては、ＣＤ−ＲＯＭ（Compact Disc Read Only Memory）、ＦＤ（Flexible Disc）、ハードディスク、磁気テープ、カセットテープ、光ディスク（ＭＯ（Magnetic Optical Disc）／ＭＤ（Mini Disc）／ＤＶＤ（Digital Versatile Disc）、ＩＣカード（メモリカードを含む）、光カード、マスクＲＯＭ、ＥＰＲＯＭ、ＥＥＰＲＯＭ、フラッシュＲＯＭなどの半導体メモリを含む。
【００４５】
また、ここでいう通信プログラムとは、局側装置２００のＣＰＵにより直接実行可能なプログラムだけでなく、ソースプログラム形式のプログラム、圧縮処理されたプログラム、暗号化されたプログラム等を含む概念である。
【００４６】
図２は、本実施の形態における局側装置の概略構成を示すブロック図である。図を参照して、この局側装置２００は、通信端末１００，１００Ａからの光信号を受信してパケットを出力する受信部２１１と、受信部２１１から受けたパケットを上位ネットワークに送出する送信部２１２と、受信部２１１から受けたパケットに基づいて後述する開局処理制御を行なう制御部２１３と、上位ネットワークからのパケットを受信する受信部２１４と、受信部２１４によって受信されたパケットを蓄積するバッファメモリ２１５と、制御部２１３による制御によってバッファメモリ２１５に蓄積されたパケットを通信端末１００，１００Ａに送出する送信部２１６と、ユーザによる所定の情報の入力を受付けるための入力部２１８とを含む。なお、バッファメモリ２１５は、レジスタ、フリップフロップ回路、ラッチ回路など、データを記憶できるものであればよい。
【００４７】
受信部２１１は、通信端末１００，１００Ａからの光信号を受信し、パケットのヘッダ部分を読取ることによってパケットが開局要求パケットなどの制御パケットであるか、データパケットであるかを判定する。受信したパケットがデータパケットであれば、受信部２１１は、当該パケットを送信部２１２に転送する。また、受信したパケットが制御パケットであれば、受信部２１１は当該制御パケットを制御部２１３に転送する。
【００４８】
送信部２１２は、受信部２１１からデータパケットを受けると、当該データパケットを上位ネットワークに送出する。
【００４９】
記憶部２１７には、後述する通信端末認証テーブルが記憶される。
【００５０】
入力部２１８は、マウスまたはキーボード等であり、局側装置２００のユーザによる情報の入力を受付け、制御部２１３に出力する。制御部２１３では、ユーザが入力部２１８を用いて入力した情報に基づき、所定の処理を実行する。たとえば、記憶部２１７に記憶されている通信端末認証テーブルの更新処理が該当する。なお、入力部２１８は、上位ネットワークに接続された外部のコンピュータに置き換えることができる。外部のコンピュータから通信端末認証テーブルを局側装置２００に送信することにより、局側装置２００では、受信した通信端末認証テーブルを記憶部２１７に記憶する。さらに、外部のコンピュータから局側装置２００の記憶部２１７に記憶された通信端末認証テーブルを編集可能とするようにしてもよい。
【００５１】
制御部２１３は、受信部２１１より制御パケットを受信すると、その制御パケットに含まれる情報に基づいて、後述する開局処理を行ない、パケットを生成して送信部２１６に出力する。また、制御部２１３は、バッファメモリ２１５に蓄積されているパケットの送信制御も実行する。
【００５２】
制御部２１３は、新たに接続された通信端末がないか否かを定期的に検知するための制御パケット（ディスカバリーゲートパケット）を生成して送信部２１６に送出する。さらに、制御部２１３は、接続されていた通信端末が切断された場合には、それを検知して通信端末認証テーブルの内容の書き換えを行なう。
【００５３】
受信部２１４は、上位ネットワークからのパケットを受信し、バッファメモリ２１５に転送する。バッファメモリ２１５は、制御部２１３および受信部２１４から転送されたデータパケットおよび制御パケットをキューに蓄積し、制御部２１３による制御によってキューに蓄積されたパケットを送信部２１６に転送する。送信部２１６は、バッファメモリ２１５から転送されてきた制御パケットおよびデータパケットを通信端末１００，１００Ａへ送出する。
【００５４】
図３は、本実施の形態における通信端末の概略構成を示すブロック図である。通信端末１００，１００Ａは、その構成は同じであるので、ここでは通信端末１００を例に説明する。図を参照して、通信端末１００は、局側装置２００からの光信号を受信して自身宛のパケットを出力する受信部１２１と、受信部１２１から受けたパケットをユーザ側のＩＰ電話２５０、コンピュータ２５０Ａ，２５０Ｂに送出する送信部１２２と、受信部１２１から受けたパケットに基づいて制御パケットを生成したり、ユーザ側のＩＰ電話２５０、コンピュータ２５０Ａ，２５０Ｂから受信したデータパケットの送信制御を行なったりする制御部１２３と、ユーザ側のＩＰ電話２５０、コンピュータ２５０Ａ，２５０Ｂからのパケットを受信する受信部１２４と、受信部１２４によって受信されたパケットおよび制御部１２３によって生成された制御パケットを蓄積するバッファメモリ１２５と、制御部１２３による制御によってバッファメモリ１２５に蓄積されたパケットを局側装置２００に送出する送信部１２６と、論理リンクテーブルやＭＩＢ（Management Information Base）などを記憶するための記憶部１２７とを含む。論理リンクテーブルは、サービス種類ごとの論理リンクを定義するデータである。論理リンクテーブルについては、後で詳細に説明する。ＭＩＢは、データ通信に関する情報、たとえば、通信エラー回数などを含む。
【００５５】
受信部１２１は、局側装置２００からの光信号を受信し、パケットのヘッダ部分を読取ることによって当該パケットが受信するべきパケットであるか否かを判定する。受信するべきパケットであるか否かは、受信したパケットのヘッダ部に含まれる宛先情報に基づいて成される。宛先情報には、モードと論理パス情報が含まれる。論理パス情報は、論理リンク識別番号（Logical Link ID）である。本実施の形態においては、この論理リンク識別番号に、統一識別情報または単独識別情報が含まれる。統一識別情報または単独識別情報については後述する。なお、受信するべきパケットであるか否かを、ＭＡＣ（媒体アクセス制御：Media Access Control）アドレスに基づいてするようにしてもよい。ＭＡＣアドレスとは、データリンク層の下位副層であるＭＡＣ層に付与されるアドレスである。ＭＡＣ層データ・フレームのヘッダ中で送信元と宛先を指定するために使われる。このＭＡＣアドレスを用いた通信は、たとえば、ＩＥＥＥ（Institute of Electrical and Electronics Engineers）８０２．３ａｈで規定される周知の方式を採用することができ、ここではその詳細な説明は繰返さない。
【００５６】
受信部１２１は、受信したパケットが受信するべきパケットであれば当該パケットを取込み、受信するべきパケットでなければ当該パケットを破棄する。また、受信部１２１は、取込んだパケットのヘッダ部分によってデータパケットであるか制御パケットであるかを判定する。受信したパケットがデータパケットであれば、受信部１２１は当該データパケットを送信部１２２に転送する。また、受信したパケットが制御パケットであれば受信部１２１は当該制御パケットを制御部１２３に転送する。
【００５７】
送信部１２２は、受信部１２１からデータパケットを受けると、当該データパケットに含まれる論理リンク識別番号に基づいて分類し、ユーザ側のＩＰ電話２５０、コンピュータ２５０Ａ，２５０Ｂのいずれかへ通常のイーサネット（Ｒ）パケットとして送出する。
【００５８】
制御部１２３は、受信部１２１から制御パケットを受けると、後述する開局処理によって制御パケットを生成してバッファメモリ１２５に転送する。また、制御部１２３は、バッファメモリ１２５に蓄積されているパケットの送信制御も行なう。
【００５９】
受信部１２４は、ユーザ側のＩＰ電話２５０、コンピュータ２５０Ａ，２５０Ｂからのパケットを受信し、バッファメモリ１２５に転送する。バッファメモリ１２５は、制御部１２３および受信部１２４から転送されてきた制御パケットおよびデータパケットにＩＰ電話２５０、コンピュータ２５０Ａ，２５０Ｂに対応する論理リンク識別番号を付与し、パケットの種類ごとにキューに蓄積し、制御部１２３による制御によってキューに蓄積されたパケットを送信部１２６に転送する。送信部１２６は、バッファメモリ１２５から転送されてきた制御パケットおよびデータパケットを局側装置２００へ送出する。
【００６０】
記憶部１２７は、制御部１２３と接続され、論理リンクテーブルとＭＩＢ（Management Information Base）などを記憶する。論理リンクテーブルは、通信端末１００に接続されるコンピュータ、たとえばコンピュータ２５０Ａから書き換えることが可能である。ＭＩＢは、通信端末１００を管理するための管理情報である。ＭＩＢは、送信部１２６または受信部１２１から発生され、局側装置２００との間のデータ通信に関するエラー情報を含む。
【００６１】
図４は、本実施の形態における通信端末のネットワークプロトコル層の一部を示す図である。ここでは、通信端末１００のネットワークプロトコル層を示すが、局側装置２００および通信端末１００Ａにおいても同様のプロトコル層を有する。
【００６２】
図４を参照して、プロトコルレイヤは、データリンクレイヤであるＭＡＣ（Media Access Control）層と、物理レイヤであるＲＳ（Reconciliation Sublayer）層とを示す。ＭＡＣ層は、半二重モードおよび全二重モードのモード制御を行ない、データ転送の衝突を避けて効率的にデータ転送を行なう機能を有する。ＲＳ層は、データ転送の調停を行なう機能を有する。
【００６３】
ＭＡＣ層は、その上位から暗号・復号部４０６と、スイッチ４０５と、ユーザ認証暗号キー交換部４０４と、単一のＯＡＭ（Operations, Administration and Maintenance）４０３と、４つのマルチポイントＭＡＣコントロール（以下「ＭＰＣＰ」という）４０２、４０２Ａ，４０２Ｂ，４０２Ｃと、統一論理リンク（以下「統一ＬＬ」という）４０１と、３つの単独論理リンク（以下「単独ＬＬ」という）４０１Ａ，４０１Ｂ，４０１Ｃとを含む。
【００６４】
ＯＡＭ４０３は、通信端末１００に１つだけ設けられるプロトコルレイヤである。ＯＡＭ４０３の下位にＭＰＣＰ４０２が設けられる。
【００６５】
ＭＰＣＰ４０２の下位に統一ＬＬ４０１が設けられる。ＭＰＣＰ４０２および統一ＬＬ４０１は、ブロードキャスト用に設けられたプロトコルレイヤである。ＭＰＣＰ４０２Ａ，４０２Ｂ，４０２Ｃの下位には、単独ＬＬ４０１Ａ，４０１Ｂ，４０１Ｃがそれぞれ設けられる。ＭＰＣＰ４０２Ａ，４０２Ｂ，４０２Ｃおよび単独ＬＬ４０１Ａ，４０１Ｂ，４０１Ｃは、ユニキャスト用に設けられたプロトコルレイヤである。
【００６６】
本実施の形態における通信システムにおいては、局側装置２００と通信端末１００との間で送受信されるデータパケットは、送信先を特定するために論理リンクを識別可能な識別情報としてＬＬＩＤ（Logical Link ＩＤ）が用いられる。ここでの送信先とは、局側装置２００または通信端末１００で実行されるサービス種類をいう。より具体的には、通信端末１００には、ＩＰ電話２５０とコンピュータ２５０Ａ，２５０Ｂが接続されていたので、この場合、サービス種類の１つは、ＩＰ電話２５０と接続するための通信であり、他の２つのサービス種類は、コンピュータ２５０Ａ，２５０Ｂにそれぞれ接続するための通信である。通信端末１００では、これらのサービス種類それぞれに対応してＭＰＣＰ４０２Ａ、４０２Ｂ，４０２Ｃが予め定められている。
【００６７】
ＬＬＩＤは、通信端末１００と局側装置２００との間で実行される開局処理およびユーザ認証処理において、局側装置２００から通信端末１００に送信されることにより、通信端末１００と、局側装置２００との間で共通の情報として保持される。通信端末１００で開局処理が実行されることにより、通信端末１００のＭＰＣＰ４０２は、局側装置２００のＭＰＣＰから統一識別情報を受信する。ＭＰＣＰ４０２は受信した統一識別情報を統一ＬＬ４０１に登録する。これにより、統一ＬＬ４０１による論理リンクが確立する。通信端末１００でユーザ認証処理が実行されることにより、ＭＰＣＰ４０２が統一ＬＬ４０１を介して３つの単独識別情報とサービス種類を受信する。ＭＰＣＰ４０２は、ＭＰＣＰ４０２Ａ，４０２Ｂ，４０２Ｃに受信したサービス種類に対応する単独識別情報を通知する。ＭＰＣＰ４０２Ａ，４０２Ｂ，４０２Ｃは、通知を受けた単独識別情報を単独ＬＬ４０１Ａ，４０１Ｂ，４０１Ｃそれぞれに登録する。これにより単独ＬＬ４０１Ａ，４０１Ｂ，４０１Ｃによる論理リンクが確立する。すなわち、ＭＰＣＰ４０２には統一識別情報が割当てられることにより統一ＬＬ４０１による論理リンクが確立され、ＭＰＣＰ４０２Ａ，４０２Ｂ，４０２Ｃには、サービス種類に対応した単独識別情報が割当てられることにより、単独ＬＬ４０１Ａ，４０１Ｂ，４０１Ｃによる論理リンクが確立する。
【００６８】
局側装置２００と通信端末１００との間で送受信されるデータパケットには、宛先情報が含まれる。この宛先情報は、モードとＬＬＩＤを含む。統一ＬＬ４０１は、モードが「０」でＬＬＩＤが統一識別情報のデータパケットと、モードが「１」でＬＬＩＤが統一識別情報および単独ＬＬ４０１Ａ，４０１Ｂ，４０１Ｃそれぞれに割当てられた３つの単独識別情報のいずれでもないデータパケットを受信し、ＭＰＣＰ４０２へ出力する。一方、単独ＬＬ４０１Ａ，４０１Ｂ，４０１Ｃは、モードが「０」でＬＬＩＤがそれに割当てられた単独識別情報のデータパケットのみを受信し、それぞれＭＰＣＰ４０２Ａ，４０２Ｂ，４０２Ｃに出力する。宛先情報のモードが「０」のデータパケットは、宛先をＬＬＩＤで特定したデータパケットであり、その特定されたＬＬＩＤに対応する論理リンクのみで受信される。モードが「１」のデータパケットは、ブロードキャストのデータパケットと、特定のＬＬＩＤを除く論理リンクに宛先を特定したデータパケットである。したがって、統一ＬＬ４０１でのみ受信される。
【００６９】
ＭＰＣＰ４０２は、統一ＬＬ４０１で受信されたデータパケットをＯＡＭ４０３に出力し、ＯＡＭ４０３から入力されたデータパケットを統一ＬＬ４０１を介して送信する。ＯＡＭ４０３は、ＭＰＣＰ４０２から入力されたデータパケットをユーザ認証暗号キー交換部４０４に出力する。ユーザ認証暗号キー交換部４０４は、入力されたデータパケットがブロードキャストの場合に、スイッチ４０５に出力する。
【００７０】
ＭＰＣＰ４０２Ａ，４０２Ｂ，４０２Ｃは、単独ＬＬ４０１Ａ，４０１Ｂ，４０１Ｃから入力されたデータパケットをスイッチ４０５に出力し、スイッチ４０５から入力されたデータパケットを単独ＬＬ４０１Ａ，４０１Ｂ，４０１Ｃを介して局側装置２００に送信する。
【００７１】
通信端末１００は、論理リンクごとにＭＩＢ（Management Information Base）を記憶部１２７に記憶する。通信端末１００では、ＭＰＣＰ４０２Ａ，４０２Ｂ，４０２ＣでＭＩＢに関連する情報が発生すると、その情報がＯＡＭ４０３に出力される。ＯＡＭ４０３では、ＭＰＣＰ４０２Ａ，４０２Ｂ，４０２Ｃから入力される情報に基づいて、単独ＬＬ４０１Ａ，４０１Ｂ，４０１ＣごとにＭＩＢを生成して記憶部１２７に記憶する。また、ＯＡＭ４０３は、局側装置からパラメータを設定されるように通知された場合には、そのパラメータを設定する。
【００７２】
局側装置２００のＯＡＭは、通信端末１００，１００Ａに関連するＭＩＢを記憶部２１７に記憶する。このため、局側装置２００のＯＡＭからＭＩＢの送信要求が統一ＬＬ４０１で受信されると、ＯＡＭ４０３は、記憶部１２７に単独ＬＬ４０１Ａ，４０１Ｂ，４０１Ｃごとに記憶されたＭＩＢを統一ＬＬ４０１を介して局側装置２００に送信する。局側装置２００のＯＡＭで、送信されたＭＩＢが受信され、記憶部１２７に記憶される。
【００７３】
ユーザ認証暗号キー交換部４０４は、通信端末１００を局側装置に登録するための認証処理と、データパケットを暗号化または複合化するために用いる暗号キーを局側装置２００と交換する処理（ＩＥＥＥ８０２．１Ｘ）とを実行する。認証処理とは、通信端末１００の記憶部１２７に予め記憶された通信端末１００を識別するための通信端末識別情報とパスワードとを局側装置に送信することで、それらを受信した局側装置２００において記憶部２１７に予め記憶された通信端末識別情報とパスワードとを照合して、それらが一致することを条件に、単独ＬＬ４０１Ａ，４０１Ｂ，４０１Ｃの論理リンクを確立する処理である。
【００７４】
暗号キー交換処理は、局側装置２００から受信したデータパケットを復号するために用いられる暗号キー、および、暗号化したデータパケットを送信した先の局側装置２００で復号するために用いられる暗号キーを、局側装置２００との間で交換する処理をいう。ユーザ認証暗号キー交換部４０４は、暗号キー交換処理で交換された暗号キーを暗号・復号部４０６に設定する。
【００７５】
スイッチ４０５は、ユーザ認証暗号キー交換部４０４、ＭＰＣＰ４０２Ａ，４０２Ｂ，４０２Ｃから入力されたデータパケットをそのまま暗号・復号部４０６に出力する。暗号・復号部４０６は、ユーザ認証暗号キー交換部４０４により設定された暗号キーを用いて、入力されたデータパケットのフレームを復号してユーザリンク側に出力する。また、暗号・復号部４０６は、ユーザリンク側からデータパケットが入力されると、ユーザ認証暗号キー交換部４０４により設定された暗号キーを用いて、入力されたデータパケットのフレームを暗号化してスイッチ４０５に出力する。
【００７６】
スイッチ４０５は、暗号・復号部４０６からデータパケットが入力されると、データパケットを転送する論理リンクを決定する。より具体的には、ＭＰＣＰ４０２Ａ，４０２Ｂ，４０２Ｃのいずれかを決定する。この決定方法としては次の具体例がある。
【００７７】
（１）  データパケットのＶＬＡＮタグ優先度における決定方法（ＩＥＥＥ８０２．１ｐ）
（２）  データパケットのＶＬＡＮＩＤによる決定方法（ＩＥＥＥ８０２．１．Ｑ）
（３）  データパケットの送信アドレスによる決定方法（一般的なスイッチングハブ）
（４）  データパケットのＥｔｈｅｒ  Ｔｙｐｅによる決定方法（ＩＰ０ｘ０８００とそれ以外など）
（５）  データパケットのＩＰｖ４ＴｏＳによる決定方法
（６）  データパケットのＩＰｖ６ＴＣによる決定方法
なお、決定方法とその設定値は、局側装置２００からＯＡＭを用いて静的に設定可能である。また、このスイッチは、局側装置２００が、上位ネットワーク側から通信端末１００，１００Ａ側にフレームを送信する際に、送信するＬＬＩＤの決定方法と同様である。
【００７８】
ここでは、通信端末１００のプロトコルレイヤについて説明したが、通信端末１００Ａにおいても同様のプロトコルレイヤが構成される。また、局側装置２００においては、通信端末１００に対応するプロトコルレイヤとして、図４に示したのとほぼ同様のプロトコルレイヤが構成される。局側装置２００の統一ＬＬは通信端末１００の統一ＬＬ４０１に対応し、３つの単独ＬＬは通信端末１００の単独ＬＬ４０１Ａ，４０１Ｂ，４０１Ｃにそれぞれ対応する。さらに、局側装置２００では、通信端末１００Ａに対応するプロトコルレイヤが構成される。
【００７９】
なお、本実施の形態においては、通信端末１００が単一のＯＡＭを備える例を説明したが、ＭＰＣＰ４０２Ａ，４０２Ｂ，４０２Ｃそれぞれに対応するＯＡＭをスイッチ４０５との間に設けるようにしてもよい。この場合、論理リンクごとのＭＩＢは、ＭＰＣＰ４０２Ａ，４０２Ｂ，４０２Ｃに対応するＯＡＭそれぞれで作成され、記憶部１２７に記憶される。ただし、ＯＡＭ４０３からＭＩＢ情報の取得を要求があった場合には、ＭＰＣＰ４０２Ａ，４０２Ｂ，４０２Ｃに対応するＯＡＭから、ＯＡＭ４０３にＭＩＢが出力される。また、ＯＡＭ４０３が、ＭＰＣＰ４０２Ａ，４０２Ｂ，４０２Ｃに対応するＯＡＭそれぞれで作成され、記憶部１２７に記憶されたＭＩＢを読み出すようにしてもよい。いずれにしても、局側装置２００から送信されるＭＩＢの送信要求パケットは、ＯＡＭ４０３でのみ受信され、その受信に応じてＯＡＭ４０３は記憶部１２７に記憶されたＭＩＢを統一ＬＬ４０１を介して局側装置２００に送信する。
【００８０】
図５は、本実施の形態における通信システムで実行される開局処理手順を示す図である。図では、局側装置２００と通信端末１００との間で実行される開局処理手順を示している。まず、局側装置２００からは、定期的に通信端末１００に対して開局要求パケットの送出を許可するディスカバリーゲートパケットが出力される。
【００８１】
ディスカバリーゲートパケットには、局側装置２００のＭＡＣアドレスと、後述する開局要求パケットを送出してもよい時間帯の情報を含む。また、ディスカバリーゲートパケットは、ブロードキャストで出力されるため、通信端末１００，１００Ａのすべてで受信される。通信端末１００では、ディスカバリーゲートパケットを受信すると、そのディスカバリーゲートパケットに含まれる時間帯に開局要求パケットを局側装置２００に対して出力する。開局要求パケットには、通信端末１００のＭＡＣアドレスが少なくとも含まれる。
【００８２】
局側装置２００では、通信端末１００より受信した開局要求パケットの通信端末１００のＭＡＣアドレスを取出し、その通信端末１００と通信の接続を確立するか否かを判断する。この判断は、たとえば局側装置２００の記憶部２１７に、通信端末１００のＭＡＣアドレスを予め記憶しておき、受信したＭＡＣアドレスが記憶部２１７に記憶されている場合に開局可と判断し、記憶されていない場合に開局不可と判断する。局側装置２００で開局してもよいと判断した場合には、通信端末１００に対して許可パケットを送信し、開局しないと判断した場合には不許可パケットを送信する。
【００８３】
許可パケットまたは不許可パケットには、通信端末１００のＭＡＣアドレスが宛先の情報として含まれる。また、許可パケットには、局側装置２００と通信端末１００との間で論理的に通信を確立するための論理リンク識別番号（Logical Link ID）が含まれる。このＬＬＩＤが、統一識別情報である。これにより、通信端末１００と局側装置２００との間で統一論理リンクが確立される。統一識別情報は、通信端末１００が備える記憶部１２７に記憶される論理リンクテーブルに登録される。
【００８４】
通信端末１００では、許可パケットを受信した場合には、許可確認パケットを局側装置２００に出力する。局側装置２００で許可確認パケットが受信された段階で、局側装置２００では通信端末１００との間で論理リンクを確立する処理が実行され、開局される。
【００８５】
局側装置２００と通信端末１００との間の開局処理手順は、概略上述のとおりである。この開局処理手順によって、局側装置２００に通信端末１００のＭＡＣアドレスを登録する登録処理および、局側装置２００が通信端末１００との間の通信を確立する処理とが実行される。
【００８６】
図６は、本実施の形態における局側装置に記憶される通信端末認証テーブルの一例を示す図である。この通信端末認証テーブルは、局側装置２００の記憶部２１７に記憶される。また、この通信端末認証テーブルは、局側装置２００のユーザが入力部２１８より入力した情報に従って更新される。また、後述するユーザ認証処理が制御部２１３で実行されることによっても更新される。
【００８７】
図６を参照して、通信端末認証テーブルは、通信端末１００、１００Ａに予め割当てられた通信端末識別情報およびパスワードと、単独識別番号と、サービス種類とを関連付けて記憶するテーブルである。本実施の形態においては、１つの通信端末に複数の論理リンクの確立を可能としているので、１つの通信端末識別情報に対して複数の単独識別番号およびサービス種類が関連付けられる。また、単独識別番号とサービス種類とは１対１で関連付けられる。
【００８８】
図６では、通信端末１００においてユーザ認証処理が終了し、通信端末１００Ａにおいては、ユーザ認証処理が未だ実行されていない場合の通信端末認証テーブルを示している。より具体的には、通信端末１００に通信端末識別情報として「Ｔ００１」が割当てられ、その通信端末識別情報に対応するパスワードが関連付けられて記憶されている。そして、通信端末１００には、ＩＰ電話２５０が接続されているため、これに対応するサービス種類として「インターネット電話」とそのサービス種類に対応する単独識別情報「Ｉ００１」が関連付けられる。さらに、通信端末１００には、コンピュータ２５０Ａ，２５０Ｂが接続されているため、これらに対応するサービス種類として「データ通信」とそのサービス種類に対応する単独識別情報「Ｉ００２」「Ｉ００３」が関連付けられる。
【００８９】
通信端末１００Ａに通信端末識別情報として「Ｔ００２」が割当てられ、その通信端末識別情報に対応するパスワードが関連付けられて記憶されている。そして、通信端末１００Ａには、ＩＰ電話２５１が接続されているため、これに対応するサービス種類として「インターネット電話」とそのサービス種類に対応する単独識別情報に「未割当」が関連付けられて記憶される。さらに、通信端末１００Ａには、コンピュータ２５１Ａ，２５１Ｂが接続されているため、これらに対応するサービス種類として「データ通信」とそのサービス種類に対応する単独識別情報「未割当」がそれぞれ関連付けられる。通信端末１００Ａに対応する単独識別情報が「未割当」とされるのは、ユーザ認証処理が実行されていないために、単独識別情報が割当てられていないからである。すなわち、ユーザ認証処理が実行されると、通信端末認証テーブルの単独識別情報の項目に割当てられた単独認証情報が記憶される。
【００９０】
図７は、本実施の形態における通信端末に記憶される論理リンクテーブルの一例を示す図である。ここでは、通信端末１００の記憶部１２７に記憶される論理リンクテーブルを示している。この論理リンクテーブルは、サービス種類と、ＬＬＩＤとを関連付けて記憶するテーブルである。本実施の形態においては、通信端末１００にＩＰ電話２５０と、２つのコンピュータ２５０Ａ，２５０Ｂとを接続しているため、論理リンクとしては、１つの統一論理リンクと、３つの単独リンクが必要となる。このため、統一論理リンク用のデータは、サービス種類が「統一論理リンク」にＬＬＩＤ「Ｕ００１」が関連付けられたデータとして記憶される。ＬＬＩＤ「Ｕ００１」は統一識別情報である。このＬＬＩＤは、上述した開局処理において、局側装置２００から送信され、受信された許可パケットに含まれる。
【００９１】
そして、単独論理リンクの１つとして、サービス種類が「インターネット電話」にＬＬＩＤ「Ｉ００１」が関連付けられたデータとして記憶される。ＬＬＩＤ「Ｉ００１」は単独識別情報である。このＬＬＩＤ「Ｉ００１」は、図６で説明した通信端末認証テーブルにおいて、通信端末識別情報が「Ｔ００１」のサービス種類が「インターネット電話」に関連付けられた単独識別情報に対応し、ここでは同じＬＬＩＤとしている。さらに、単独論理リンクの他の２つとして、サービス種類が「データ通信」にＬＬＩＤ「Ｉ００２」、ＬＬＩＤ「Ｉ００３」がそれぞれ関連付けられたデータとして記憶される。ＬＬＩＤ「Ｉ００２」、ＬＬＩＤ「Ｉ００３」は単独識別情報である。このＬＬＩＤ「Ｉ００２」、ＬＬＩＤ「Ｉ００３」は、図６で説明した通信端末認証テーブルにおいて、通信端末識別情報が「Ｔ００１」のサービス種類が「データ通信」に関連付けられた単独識別情報に対応し、ここでは同じＬＬＩＤとしている。
【００９２】
論理リンクテーブルにおいて、サービス種類が「統一論理リンク」に関連付けられるＬＬＩＤは、通信端末１００において開局処理が実行されることにより論理リンクテーブルに記憶される。また、サービス種類が「インターネット電話」、「データ通信」に関連付けられるＬＬＩＤは、通信端末１００においてユーザ認証処理が実行されることにより論理リンクテーブルに記憶される。
【００９３】
図８は、本実施の形態における通信システムで実行されるユーザ認証処理の流れを示すフローチャートである。図８（Ａ）は、局側装置で実行される処理の流れを示し、図８（Ｂ）は、通信端末１００で実行される処理の流れを示す。
【００９４】
ここでは、通信端末１００と局側装置２００との間で実行されるユーザ認証処理について説明する。通信端末１００Ａと局側装置２００との間で実行されるユーザ認証処理についても同様である。ユーザ認証処理は、開局処理が実行された後に実行される処理である。すなわち、ユーザ認証処理は、統一論理リンクが確立された後に実行される。したがって、ユーザ認証処理は、局側装置２００と通信端末１００との間で確立された統一論理リンクを用いて実行される処理である。
【００９５】
図８を参照して、通信端末１００から局側装置２００に対してユーザ認証要求パケットが送信される（ステップＳ１１）。このユーザ認証要求パケットには、通信端末１００に予め割当てられた通信端末識別情報とパスワードとが含まれる。通信端末識別情報としては、たとえばＭＡＣアドレスを用いるようにしてもよい。
【００９６】
局側装置２００では、通信端末１００から送信されたユーザ認証要求パケットが受信される（ステップＳ０１）。局側装置２００では、ユーザ認証要求パケットを受信することを条件にステップＳ０２へ進む。すなわち、局側装置２００では、ユーザ認証要求パケットを受信すると、割り込みを発生させて以下に説明するユーザ認証処理を実行する。
【００９７】
局側装置２００では、受信したユーザ認証要求パケットに含まれる通信端末識別情報とパスワードとが抽出される（ステップＳ０２）。上述したように、局側装置２００の記憶部２１７には、通信端末認証テーブルが予め記憶されている。局側装置２００では、ステップＳ０２で抽出した通信端末識別情報およびパスワードと、記憶部２１７に予め記憶された通信端末認証テーブルに登録されたそれらとが一致するか否かが判断される（ステップＳ０３）。一致すると判断した場合にはステップＳ０４に進み、一致しないと判断した場合にはステップＳ０６に進む。ステップＳ０３では、通信端末１００が局側装置２００に真正に登録されたものであるか否かが判断される。
【００９８】
ステップＳ０４では、局側装置２００は、記憶部２１７に予め記憶された通信端末認証テーブルを参照して、ステップＳ０２で抽出した通信端末識別情報に対応して記憶されているサービス種類の全てに対して、単独識別情報を割当てる。すなわち、全てのサービス種類の数だけの単独識別情報を生成して、生成した単独識別情報をサービス種類に関連付けてユーザ認証テーブルに記憶する。そして、通信端末１００に許可パケットを送信する（ステップＳ０５）。ここで送信される許可パケットには、単独識別情報とサービス種類とを含む。単独識別情報とサービス種類とは関連付けられているので、関連付けられた単独識別情報とサービス種類との組が複数ある場合であっても、単独識別情報とサービス種類との関連付けが通信端末１００側で認識できる。この段階で、局側装置２００では、通信端末１００に対する単独識別情報で特定される論理リンクが生成される。
【００９９】
ステップＳ０６では、通信端末１００に不許可パケットが送信される。不許可パケットは、単独識別情報は含まれず、通信端末１００に対する単独論理リンクを生成しない旨を知らせる情報を含む。局側装置２００では、この段階で通信端末１００に対して割当てた統一識別情報を記憶部２１７から消去する。これにより、局側装置２００において通信端末１００との間で確立された統一論理リンクが切断される。
【０１００】
一方、通信端末１００では、局側装置２００から許可パケットの受信待ちとなっており、許可パケットが受信されたか否かが判断される（ステップＳ１２）。許可パケットが受信された場合にはステップＳ１３に進み、不許可パケットが受信された場合にはステップＳ１５に進む。ステップＳ１３では、許可パケットに含まれる関連付けられた単独識別情報とサービス種類とを抽出する。そして、抽出した単独識別情報が、それに関連付けられたサービス種類に割当てられる（ステップＳ１４）。すなわち、記憶部１２７に予め記憶された論理リンクテーブルが参照され、ステップＳ１３で抽出されたサービス種類と同じサービス種類に対応する単独識別情報に、ステップＳ１３で抽出された単独識別情報が記憶される。ステップＳ１３で抽出されたサービス種類と単独識別情報との組が複数ある場合には、全ての単独識別情報が、対応するサービス情報に記憶される。これにより、通信端末１００において、単独識別情報で特定される単独論理リンクが生成される。その結果、通信端末１００と局側装置との間で、単独識別情報の数だけの単独論理リンクが確立する。
【０１０１】
一方ステップＳ１５では、局側装置２００から不許可パケットを受信したため、エラー処理が実行される。エラー処理は、たとえば、ユーザ側のＩＰ電話２５０、コンピュータ２５０Ａ，２５０Ｂに対して、エラーメッセージを送信する。また、通信端末１００自身が備えるスピーカまたは表示装置にエラーメッセージを出力するようにしてもよい。通信端末１００は、この段階で局側装置２００から割当てられた統一識別情報を記憶部１２７から消去する。これにより、通信端末１００において通信端末１００との間で確立された統一論理リンクが切断される。その結果、局側装置２００と通信端末１００との間で確立された統一論理リンクが完全に切断される。
【０１０２】
このように、局側装置２００と通信端末１００との間のユーザ認証処理は統一論理リンクを用いて行われ、複数の単独論理リンクが確立される。このため、局側装置２００と通信端末１００との間で複数の論理リンクを確立する場合であっても、開局処理とユーザ認証処理とを実行するだけでよい。その結果、論理リンクを確立するための手順が簡略化することができ、局側装置２００と通信端末１００との間の通信データ量を減少させることができる。
【０１０３】
なお、ここでは、通信端末１００からユーザ認証要求パケットを送信することによりユーザ認証処理が開始されるようにしたが、局側装置２００から通信端末１００に対してユーザ認証要求パケットの送信を要求するパケットを送信するようにして、ユーザ認証処理が開始されるようにしてもよい。
【０１０４】
図９は、通信端末で実行される暗号・復号処理の流れを示すフローチャートである。ここでは通信端末１００で実行される処理を説明するが、局側装置２００および通信端末１００Ａにおいても同様の処理が実行される。この暗号・復号処理は、上述したユーザ認証処理が実行された後に実行される処理である。図９を参照して、通信端末１００では、局側装置２００との間で既に確立されている統一論理リンクを介して暗号キーを受信する（ステップＳ２１）。そして、記憶部１２７に受信した暗号キーを記憶する（ステップＳ２２）。なお、ここでは、暗号キーが局側装置２００から通信端末１００に送信される場合を例に説明するが、通信端末１００から局側装置２００に暗号キーを送信するようにしてもよい。また、この暗号キーは、暗号化する側から復号化する側に送信されるものであってもよい。この場合には、局側装置２００と通信端末１００との間で相互に暗号キーが送受信されることになる。すなわち、相手方より受信した符号化されたデータを復号するのに用いられる暗号キーが相手方より受信されて記憶部１２７に記憶され、符号化したデータを相手方で復号するのに用いられる暗号キーが相手方に送信される。
【０１０５】
ステップＳ２３では、出力データがユーザ側のＩＰ電話２５０、コンピュータ２５０Ａ，２５０Ｂから受信されたか否かが判断される（ステップＳ２３）。受信された場合にはステップＳ２４に進み、記憶部１２７に記憶されている暗号キーを用いて暗号化（符号化）する（ステップＳ２４）。そして、受信された出力データに含まれるサービス種類に応じて定まる単独論理リンクに出力される（ステップＳ２５）。これにより、暗号化された出力データが局側装置２００に送信される。
【０１０６】
また、局側装置２００より受信データが受信されたか否かが判断される（ステップＳ２６）。受信された場合にはステップＳ２７に進み、記憶部１２７に記憶されている暗号キーを用いて復号化する（ステップＳ２７）。そして、復号化した受信データを、受信データに含まれるサービス種類に応じて定まる送信先、ＩＰ電話２５０、コンピュータ２５０Ａ，２５０Ｂのいずれかに送信する（ステップＳ２８）。
【０１０７】
このように、通信端末１００と局側装置２００との間では、複数の単独リンクが確立されている場合であっても、１つの統一論理リンクを用いて交換された暗号キーを用いて、送受信されるデータの暗号化または復号化が行われる。このため、単独論理リンクの数だけの暗号キーを交換する必要がないので、暗号キーを交換する処理を単純化することができるとともに、局側装置２００と通信端末１００との間の通信データ量を減少させることができる。
【０１０８】
図１０は、通信端末で実行される統計量送信処理の流れを示すフローチャートである。ここでは、通信端末１００で実行される処理を例に説明するが、通信端末１００Ａにおいても同様の処理が実行される。また、統計量とはＭＩＢ情報である。さらに、統計量送信処理は、上述したユーザ認証処理が実行された後に実行される処理である。すなわち、局側装置２００と通信端末１００との間で単独論理リンクが確立されている状態で実行される処理である。図１０を参照して、通信端末１００では、局側装置２００との間で確立された論理リンク（統一論理リンクおよび単独論理リンク）ごとの通信は、ＭＡＣ層のＭＰＤＰ４０２，４０２Ａ，４０２Ｂ，４０２Ｃで行われるが、その通信状態に関する情報を生成するための情報が、ＯＡＭ４０３に送信される。ステップＳ３１では、この通信状態に関する情報を生成するための通信状態情報がＭＰＤＰ４０２，４０２Ａ，４０２Ｂ，４０２Ｃから入力されたか否かがＯＡＭ４０３で判断される。ＯＡＭ４０３は、単独リンクごとに、通信状態情報を記憶部１２７に記憶する（ステップＳ３２）。
【０１０９】
そして、ＯＡＭ４０３において、局側装置２００のＯＡＭから通信状態情報の要求があったか否かが判断される（ステップＳ３３）。局側装置２００では、この通信状態情報を要求するパケットを、通信端末１００の統一論理リンク宛、または、ブロードキャストで送信する。したがって、この通信状態情報を要求するパケットは、統一ＬＬ４０１（統一論理リンク）で受信される。
【０１１０】
通信端末１００のＯＡＭ４０３は、単独論理リンクごとに記憶されている通信状態情報を記憶部１２７から単独リンクごとに読出して、それらをまとめて統一論理リンクを介して局側装置２００のＯＡＭに送信する（ステップＳ３４）。
【０１１１】
このように、通信端末１００から局側装置２００へのＭＩＢ情報の送信は、統一論理リンクを介して行われるため、複数ある単独論理リンクごとのＭＩＢ情報をまとめて一度に送信することができる。このため、通信端末１００から局側装置２００にＭＩＢを送信する処理を単純にすることができるとともに、通信端末１００と局側装置２００との間の通信データ量を削減することができる。
【０１１２】
図１１は、本実施の形態における通信システムで実行される閉局処理の流れを示すフローチャートである。ここでは、局側装置２００と通信端末１００との間で統一論理リンクと単独論理リンクが既に確立されている場合を例に閉局処理を説明する。図１１（Ａ）は局側装置２００で実行される閉局処理の流れを示し、図１１（Ｂ）は通信端末１００で実行される閉局処理の流れを示す。なお、通信端末１００Ａと局側装置２００とで実行される閉局処理も同様であるのでここでは説明を繰り返さない。
【０１１３】
図１１を参照して、局側装置２００は、宛先情報を設定する（ステップＳ４１）。ここで設定される宛先情報は、モードを「０」とし、統一識別情報を通信端末１００に割当てた統一識別情報（Ｕ００１）とするものである。また、宛先情報をブロードキャストに設定するようにしてもよい。いずれにしても、通信端末１００の統一論理リンクでパケットが受信されればよい。そして、設定した宛先情報と閉局コマンドとを含むパケットを送信する（ステップＳ４２）。このパケットは、通信端末１００の統一ＬＬ４０１で受信されることになる。局側装置２００では、この段階で、通信端末１００に対して割当てた統一識別情報とすべての単独識別情報の割当てを解除する（ステップＳ４３）。すなわち、記憶部２１７に記憶している通信端末１００に割当てた統一識別情報を削除することにより統一識別情報の割当てが解除される。また、記憶部２１７に記憶しているユーザ認証テーブルの通信端末１００の通信端末識別情報に対応付けて記憶されている単独識別情報の全てを削除することにより通信端末識別情報の割当てが解除される。これにより、局側装置２００において通信端末１００に対する論理リンクの全てが切断される。
【０１１４】
一方、通信端末１００では、閉局コマンドとを含むパケットが受信されると（ステップＳ５１）、割り込みが発生して、ステップＳ５２に進む。局側装置２００からは閉局コマンドは、モードを「０」、通信端末１００の統一識別情報とする宛先情報とともに送信されるため、統一ＬＬ４０１で受信される。すると、ＭＰＣＰ４０２は、統一論理リンクを切断するとともに、他のＭＰＣＰ４０２Ａ，４０２Ｂ，４０２Ｃに対して単独論理リンクを切断するための閉局指示を出力する。具体的には、記憶部１２７に記憶している論理リンクテーブルにサービス種類に関連付けて記憶されている単独識別情報を削除するとともに、局側装置２００から割当てられた統一識別情報を削除する。これにより、通信端末１００において、通信端末１００と局側装置２００との間の全ての論理リンクが切断される。
【０１１５】
このように、局側装置２００から通信端末１００に対して閉局コマンドを統一論理リンクに対して送信するだけで、局側装置２００と通信端末１００との間で確立されている全ての論理リンクが切断される。このため、局側装置２００と通信端末１００との間の閉局処理を単純に行うことができるとともに、局側装置２００と通信端末１００との間の通信データ量を削減することができる。
【０１１６】
なお、局側装置２００と通信端末１００との間で確立されている単独論理リンクごとに切断することも可能である。この場合には、閉局コマンドを含むパケットの宛先情報は、モードが「０」で、通信端末１００に割当てられた単独識別情報を含むことになる。
【０１１７】
以上説明したように本実施の形態における通信端末１００は、局側装置２００との間で確立された統一論理リンクを介して局側装置２００から単独識別情報とサービス種類とを対応付けた情報を受信し、単独識別情報を予め定められたサービス種類に割当てることにより単独論理リンクを確立する。このため、統一論理リンクが確立されれば、予め定められた単独論理リンクが確立されるので、単独論理リンクごとに論理リンクを確立するために局側装置２００との間で通信をする必要がない。
【０１１８】
また、通信端末１００は、単独論理リンクごとにＭＩＢ情報を生成して記憶しており、そのＭＩＢ情報を単独論理リンクごとに局側装置２００へ統一論理リンクを介して送信するので、単独リンクごとに生成されたＭＩＢ情報を統一論理リンクを介して一度に送信することができる。
【０１１９】
また、通信端末１００は、局側装置２００との間で単独リンクを介して送受信するためのデータを暗号化または復号化するために用いる暗号キーを、統一論理リンクを介して送信または受信する。このため、単独論理リンクごとに暗号キーを送受信する必要がない。
【０１２０】
また、局側装置２００では、通信端末１００のＭＡＣアドレスに基づき、確立するべき単独論理リンクとサービス種類とを決定する。このため、ユーザ認証処理と単独リンクの確立とを同時におこなうことができる。
【０１２１】
また、統一ＬＬ４０１は、モードが「０」でかつ統一識別情報の宛先情報のパケット、または、モードが「１」でかつ通信端末１００に割当てられた統一識別情報および単独識別情報のいずれでもない宛先情報のパケットを受信する。また、単独ＬＬ４０１Ａ，４０１Ｂ，４０１Ｃは、モードが「０」でかつそれに割当てられた単独識別情報の宛先情報のパケットのみを受信する。このため、複数の単独ＬＬ４０１Ａ，４０１Ｂ．４０１Ｃに送信する情報を、統一ＬＬ４０１にのみ送信すればよく、また、ブロードキャストされるパケットは単独ＬＬ４０１Ａ，４０１Ｂ，４０１Ｃで受信されないので、同じパケットが複数個受信されることがない。
【０１２２】
さらに、局側装置２００は、統一論理リンクが確立された通信端末１００に対応してユーザ認証テーブルに記憶されたサービス種類ごとに単独識別情報を割当て、単独識別情報とサービス種類とを関連付けて通信端末１００に送信することにより、通信端末１００との間で複数の単独リンクを確立する。このため、単独論理リンクごとに論理リンクを確立するために通信端末１００との間で通信をする必要がない。
【０１２３】
また、単独論理リンクごとのＭＩＢ情報を、通信端末１００との間で確立された統一論理リンクを介して受信するので、単独リンクごとにＭＩＢ情報を受信する必要がない。
【０１２４】
また、通信端末１００との間で送受信するためのデータを暗号化または復号化するために用いる暗号キーを、統一論理リンクを介して送受信するので、単独論理リンクごとに暗号キーを送受信する必要がない。
【０１２５】
また、局側装置２００は、通信端末１００から受信されるＭＡＣアドレスが予め記憶されていることを条件に、通信端末１００との間で単独リンクを確立するので、予め定められた通信端末１００との間でのみ論理リンクを確立することができる。
【０１２６】
また、単独論理リンクごとに対応するサービス種類に応じた帯域を割当てるので、通信の効率を向上させることができる。
【０１２７】
なお、本実施の形態においては、通信システムについて説明したが、局側装置２００および通信端末１００それぞれで実行される通信プログラムとして発明を捕らえることができるのは言うまでもない。
【０１２８】
（１）  本実施の形態における通信端末１００のスイッチは、他の通信装置へ送信するデータを、該データのサービス種類に割当てられた論理リンクに出力するデータ分別手段である。
【０１２９】
（２）  また、スイッチは、統一論理リンクまたは単独論理リンクにより他の通信装置から受信したデータを上位層に出力するデータ分別手段である。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３１】
【図１】本発明の実施の形態に係る通信システムの概略構成を示す図である。
【図２】本実施の形態における局側装置の概略構成を示すブロック図である。
【図３】本実施の形態における通信端末の概略構成を示すブロック図である。
【図４】本実施の形態における通信端末のネットワークプロトコル層の一部を示す図である。
【図５】本実施の形態における通信システムで実行される開局処理手順を示す図である。
【図６】本実施の形態における局側装置に記憶される通信端末認証テーブルの一例を示す図である。
【図７】本実施の形態における通信端末に記憶される論理リンクテーブルの一例を示す図である。
【図８】本実施の形態における通信システムで実行されるユーザ認証処理の流れを示すフローチャートである。
【図９】通信端末で実行される暗号・復号処理の流れを示すフローチャートである。
【図１０】通信端末で実行される統計量送信処理の流れを示すフローチャートである。
【図１１】本実施の形態における通信システムで実行される閉局処理の流れを示すフローチャートである。
【符号の説明】
【０１３２】
１００，１００Ａ  通信端末、１２１，１２４，２１１，２１４  受信部、２５１  ＩＰ電話、１２２，１２６，２１２，２１６  送信部、１２３，２１３  制御部、１２５，２１５  バッファメモリ、１２７，２１７  記憶部、２１８  入力部、２００  局側装置、２０１，２０２，２０２Ａ  光ファイバ、２０３  光カプラ、２０４，２０４Ａ，２０４Ｂ，２０５，２０５Ａ，２０５Ｂ  接続線、２５０Ａ，２５０Ｂ，２５１Ａ，２５１Ｂ  コンピュータ、２５０，２５１  ＩＰ電話、３００，３０１  記録媒体、４０４  ユーザ認証暗号キー交換部、４０５  スイッチ、４０６  暗号・復号部、４０１  統一ＬＬ、４０１Ａ，４０１Ｂ，４０１Ｃ  単独ＬＬ。
【図１】
2005236413.tif 000003
【図２】
2005236413.tif 000004
【図３】
2005236413.tif 000005
【図４】
2005236413.tif 000006
【図５】
2005236413.tif 000007
【図６】
2005236413.tif 000008
【図７】
2005236413.tif 000009
【図８】
2005236413.tif 000010
【図９】
2005236413.tif 000011
【図１０】
2005236413.tif 000012
【図１１】
2005236413.tif 000013